(57)【要約】【課題】  ベッドの上に横たわった人間から液状物が放出される場合に、これを確実に受け止めてベッドを汚すことがないようにすることのできるベッドマットを提供することを目的とする。【解決手段】  この発明に係わるベッドマットは、ベッド上に敷かれるベッドマット１０において、間に高吸水ポリマーからなる吸水シート１２をおいて、上下から不織布からなる透水シート１４，１６で全面的に挟み込み、キルティング処理により一体化された吸水アッセンブリ１８と、この吸水アッセンブリ１８の下側の透水シート１６の底面に接着され、不透水性を有すると共に、ベッドの表面に対して所定の摩擦係数を有する不透水シート２０と、吸水アッセンブリ１８及び不透水シート２０の周縁をパイピング処理するために縫い付けられたバイアステープ２２とを具備することを特徴としている。【選択図】図１
2018161455.tif 000002
【特許請求の範囲】
【請求項１】
ベッド上に敷かれるベッドマットにおいて、
間に高吸水ポリマーからなる吸水シートをおいて、上下から不織布からなる透水シートで全面的に挟み込み、キルティング処理により一体化された吸水アッセンブリと、
この吸水アッセンブリの下側の透水シートの底面に接着され、不透水性を有すると共に、ベッドの表面に対して所定の摩擦係数を有する不透水シートと、
前記吸水アッセンブリ及び不透水シートの周縁をパイピング処理するために縫い付けられたバイアステープと、
を具備することを特徴とするベッドマット。
【請求項２】
前記吸水アッセンブリは、角が丸められた矩形状に形成されていることを特徴とする請求項１に記載のベッドマット。
【請求項３】
前記吸水シートは、薄膜状に形成されていることを特徴とする請求項１に記載のベッドマット。
【請求項４】
前記吸水シートは、膜厚として０．５ｍ以下の厚さに設定されていることを特徴とする請求項３に記載のベッドマット。
【請求項５】
前記透水シートは、２枚合わせて所定のクッション性を発揮できる厚さに設定されていることを特徴とする請求項１又は４に記載のベッドマット。
【請求項６】
前記透水シートは、各々、前記吸水シートの厚さより厚く設定されていることを特徴とする請求項５に記載のベッドマット。
【請求項７】
前記不透水シートは、前記下側の透水シートの底面に塗布された接着剤を介して、前記透水アッセンブリの下面に接着されていることを特徴とする請求項１に記載のベッドマット。
【請求項８】
前記不透水シートは、透水性も透湿性も有しない遮水性の材料から形成され、
前記吸水アッセンブリで受けた血液や尿等の液状物が、該吸水アッセンブリ内に保持されて、該液状物がベッド上に沁み出ずに、該ベッドを汚すことがないようにしたことを特徴とする請求項１に記載のベッドマッド。
【請求項９】
前記バイアステープは、前記吸水アッセンブリ及び前記不透水シートの全周囲に渡り配設されていることを特徴とする請求項１に記載のベッドマット。
【請求項１０】
前記バイアステープはＵ字状に折り込まれ、
前記吸水アッセンブリ及び不透水シートの全周縁は、該バイアステープにより上下を挟み込まれた状態で縫い付けられていることを特徴とする請求項９に記載のベッドマット。
【請求項１１】
前記ベッド上で用いられた後、使い捨てられることを特徴とする請求項１に記載のベッドマット。
【発明の詳細な説明】
【技術分野】
【０００１】  この発明は、手術台を含むベッド上に敷かれ、この上に横たわった人間や動物から放出される汗や尿や血液等の液状物を受け止めて、ベッドを汚さないようにするためのベッドマットに関する。
【背景技術】
【０００２】  従来より、ベッドの上に敷いて、この上に横たわった人間から放出される汗や尿等の液状物を受け止めて、ベッドを汚さないようにするためのベッドマットとしては、例えば、特許文献１に示すベッドパッドが知られている。
【先行技術文献】
【特許文献】
【０００３】
【特許文献１】特開２００５−１３１１５８号  公報
【０００４】  この特許文献１には、中綿および側地からなるベッドパッドであって、該ベッドパッド又は該中綿に、穴径が１〜１００ｍｍ、穴間のピッチが２〜５００ｍｍの穴が設けられていることを特徴とするベッドパッドが開示されており、これにより、一定の保温性が得られ、就寝中に人体から発生する汗の吸放湿が良好で、且つ洗濯可能な、吸湿マットと併用して用いるベッドパッドを提供されるとしている。このように、従来のベッドマットにおいては、吸放湿性に着目すると共に、繰り返しの利用を図るために、洗濯可能であることが重要な機能要素となっていた。
【発明の概要】
【発明が解決しようとする課題】
【０００５】  しかしながら、上述した先行技術においては、ベッド上で人間が就寝する場合に用いることを前提としていたため、例えば、手術台のように、この上に横たわらされた人間から、血液や体液等の液状物が放出されてくる場合に対応することが困難であった。具体的には、従来のベッドマットでは、人間からの液状物を受け止めてベッド上に留め置く容量が不十分であり、許容量をオーバーすると、液状物がベッドから手術室の床の上に流れ落ちて、床を汚したり、手術中の医師や看護師の足元を汚すと共に滑りやすくなる問題点が発生することとなる。このように、従来ある就寝時に用いられるベッドマットを手術時に用いることは不可能な状態であり、改善が要望されていた。【０００６】  この発明は、上記した問題に鑑みなされたもので、ベッドの上に横たわった人間から液状物が放出される場合に、これを確実に受け止めてベッドを汚すことがないようにすることのできるベッドマットを提供することを主たる目的とする。【０００７】  また、この発明の別の目的は、ベッドの上に横たわった人間から液状物が放出される場合に、使い捨てを可能にする状態で安価にこれを受け止めて、ベッドを汚すことが無いようにすることができるベッドマットを提供することである。
【課題を解決するための手段】
【０００８】  上述した課題を解決し目的を達成するために、この発明に係わるベッドマットは、請求項１の記載によれば、ベッド上に敷かれるベッドマットにおいて、間に高吸水ポリマーからなる吸水シートをおいて、上下から不織布からなる透水シートで全面的に挟み込み、キルティング処理により一体化された吸水アッセンブリと、この吸水アッセンブリの下側の透水シートの底面に接着され、不透水性を有すると共に、ベッドの表面に対して所定の摩擦係数を有する不透水シートと、前記吸水アッセンブリ及び不透水シートの周縁をパイピング処理するために縫い付けられたバイアステープとを具備することを特徴としている。【０００９】  また、この発明に係わるベッドマットは、請求項２の記載によれば、前記吸水アッセンブリは、角が丸められた矩形状に形成されていることを特徴としている。【００１０】  また、この発明に係わるベッドマットは、請求項３の記載によれば、前記吸水シートは、薄膜状に形成されていることを特徴としている。【００１１】  また、この発明に係わるベッドマットは、請求項４の記載によれば、前記吸水シートは、膜厚として０．５ｍｍ以下の厚さに設定されていることを特徴としている。【００１２】  また、この発明に係わるベッドマットは、請求項５の記載によれば、前記透水シートは、２枚合わせて所定のクッション性を発揮できる厚さに設定されていることを特徴としている。【００１３】  また、この発明に係わるベッドマットは、請求項６の記載によれば、前記透水シートは、各々、前記吸水シートの厚さより厚く設定されていることを特徴としている。【００１４】  また、この発明に係わるベッドマットは、請求項７の記載によれば、前記不透水シートは、前記下側の透水シートの底面に塗布された接着剤を介して、前記透水アッセンブリの下面に接着されていることを特徴としている。【００１５】  また、この発明に係わるベッドマットは、請求項８の記載によれば、前記不透水シートは、透水性も透湿性も有しない遮水性の材料から形成され、前記吸水アッセンブリで受けた血液や尿等の液状物が、該吸水アッセンブリ内に保持されて、該液状物がベッド上に沁み出ずに、該ベッドを汚すことがないようにしたことを特徴としている。【００１６】  また、この発明に係わるベッドマッドは、請求項９の記載によれば、前記バイアステープは、前記吸水アッセンブリ及び前記不透水シートの全周囲に渡り配設されていることを特徴としている。【００１７】  また、この発明に係わるベッドマットは、請求項１０の記載によれば、前記バイアステープはＵ字状に折り込まれ、前記吸水アッセンブリ及び不透水シートの全周縁は、該バイアステープにより上下を挟み込まれた状態で縫い付けられていることを特徴としている。【００１８】  また、この発明に係わるベッドマットは、請求項１１の記載によれば、前記ベッド上で用いられた後、使い捨てられることを特徴としている。
する請求項１に記載のベッドマット。【００１９】  上記請求項１に記載の課題解決手段による作用は次の通りである。即ち、このベッドマッドは、間に高吸水ポリマーからなる吸水シートをおいて、上下から不織布からなる透水シートで全面的に挟み込み、キルティング処理により一体化された吸水アッセンブリと、この吸水アッセンブリの下側の透水シートの底面に接着され、不透水性を有すると共に、ベッドの表面に対して所定の摩擦係数を有する不透水シートと、前記吸水アッセンブリ及び不透水シートの周縁をパイピング処理するために縫い付けられたバイアステープとを具備して構成されているので、ベッドの上に横たわった人間から液状物が放出される場合に、これを確実に受け止めてベッドを汚すことがないようにすることのできると共に、ベッドの上に横たわった人間から液状物が放出される場合に、安価にこれを受け止めて、使い捨てを可能にする状態で、ベッドを汚すことが無いようにすることができることになる。【００２０】  また、請求項２に記載の課題解決手段によれば、前記吸水アッセンブリは、角が丸められた矩形状に形成されているので、前記吸水アッセンブリ及び不透水シートの周縁にバイアステープを縫い付けてパイピング処理する作業が簡易化され、製造コストの低廉化を図ることが出来ることになる。【００２１】  また、請求項３に記載の課題解決手段によれば、前記吸水シートは、薄膜状に形成されているため、十分な吸水量を確保しつつ、材料費のコスト減を達成して、製造コストの低廉化を図ることが出来ることになる。【００２２】  また、請求項４に記載の課題解決手段によれば、前記吸水シートは、膜厚として０．５ｍｍ以下の厚さに設定されているために、安価にベッド的を提供することが出来ることになる。【００２３】  また、請求項５に記載の課題解決手段によれば、前記透水シートは、２枚合わせて所定のクッション性を発揮できる厚さに設定されているので、このベッドマット上に横たわる人間が違和感を感じることが効果的に抑制されることになる。【００２４】  また、請求項６に記載の課題解決手段によれば、前記透水シートは、各々、前記吸水シートの厚さより厚く設定されているので、クッション性が確実に確保されることになる。【００２５】  また、請求項７に記載の課題解決手段によれば、前記不透水シートは、前記下側の透水シートの底面に塗布された接着剤を介して、前記透水アッセンブリの下面に接着されているので、吸水アッセンブリと不透水シートとは、安価に、且つ、確実に一体化させることが出来ることになる。【００２６】  また、請求項８に記載の課題解決手段によれば、前記不透水シートは、透水性も透湿性も有しない遮水性の材料から形成されているので、前記吸水アッセンブリで受けた血液や尿等の液状物が、該吸水アッセンブリ内に保持されて、該液状物がベッド上に沁み出ずに、該ベッドを汚すことがないよう出来ることになる。【００２７】  また、請求項９に記載の課題解決手段によれば、前記バイアステープは、前記吸水アッセンブリ及び前記不透水シートの全周囲に渡り配設されているので、前記吸水アッセンブリで受けた血液や尿等の液状物が、該吸水アッセンブリ内に確実に保持されて、該液状物がベッド上に沁み出ずに、該ベッドを汚すことがない効果を確実に奏することが出来ることになる。【００２８】  また、請求項１０に記載の課題解決手段によれば、前記バイアステープはＵ字状に折り込まれ、前記吸水アッセンブリ及び不透水シートの全周縁は、該バイアステープにより上下を挟み込まれた状態で縫い付けられているので、ベッドマット自体を安価に製造することが出来ることになる。【００２９】  また、請求項１１に記載の課題解決手段によれば、前記ベッド上で用いられた後、使い捨てられるので、ベッドマット自体を安価に提供することが出来ることになる。
【発明の効果】
【００３０】  以上説明したように、この発明に係わるベッドマットによれば、ベッドの上に横たわった人間から液状物が放出される場合に、これを確実に受け止めてベッドを汚すことがないようにすることのできるベッドマットを提供することが出来ることになる。【００３１】  また、この発明によれば、ベッドの上に横たわった人間から液状物が放出される場合に、使い捨てを可能にする状態で安価にこれを受け止めて、ベッドを汚すことが無いようにすることができるベッドマットが提供されることになる。
【図面の簡単な説明】
【００３２】
【図１】  この発明に係わる一実施例の構成のベッドマットを示す平面図である。
【図２】  図１に示すベッドマットを切断面ＩＩ−ＩＩに沿って断面して示す縦断面図である。
【図３】  図１に示すベッドマットを製造する際の、間に高吸水ポリマーからなる吸水シートをおいて、上下から不織布からなる透水シートで全面的に挟み込んだ状態を示す縦断面図である。
【図４】  図３に示す中間物を縫い合わせてキルティング処理して吸水アッセンブリを形成した状態を示す縦断面図である。
【図５】  図４に吸水アッセンブリの下面に接着剤を貼付した状態を示す縦断面図である。
【図６】  図５に示す状態から、吸水アッセンブリの下面に、接着剤を介して不透水シートを接着した状態を示す縦断面図である。
【図７】  図６に示す状態から、バイアステープの一端縁を不透水シートの周縁の下面に当て付けた状態を示す縦断面図である。
【図８】  図７に示す状態から、バイアステープを断面略Ｕ字状に折り曲げて、該バイアステープの他端縁を、吸水アッセンブリの周縁の上面に当て付けた状態示す縦断面図である。
【発明を実施するための形態】
【００３３】  以下に、本発明に係わるベッドマットの実施の形態について、添付図面を用いて説明する。
【００３４】  図１は、ベッドマット１０の一実施例の構成を示す平面図であり、図２は、ベッドマット１０の構造を示す縦断面図である。図１及び図２に示すように、このベッドマット１０は、図示しないベッド上に敷かれるものであり、間に高吸水ポリマーからなる吸水シート１２をおいて、上下から不織布からなる透水シート１４，１６で全面的に挟み込み、キルティング処理により一体化された吸水アッセンブリ１８と、この吸水アッセンブリ１８の下側の透水シート１６の底面に接着され、不透水性を有すると共に、ベッドの表面に対して所定の摩擦係数を有する不透水シート２０と、吸水アッセンブリ１８及び不透水シート２０の周縁をパイピング処理するために縫い付けられたバイアステープ２２とを備えて構成されている。
【００３５】  このベッドマット１０は、図１に示すように、四隅が大きく丸みを付けられた略矩形状に形成されている。ここで、このベッドマット１０の平面形状として、四隅が大きく丸みを付けられているのは、製造コストの低廉化を図る上で重要なポイントとなるもので、このように大きく丸みを付けられているために、後述するパイピング処理のためのバイアステープ２２を、吸水アッセンブリ１８と不透水シート２０が重ねあわされた構造の周縁に、全周に渡り、容易に巻きつけた状態で取り付けることが可能となると共に、バイアステープ２２の巻き付け時に皺が寄ることが効果的に防止されえ、従って、皺から内部に保持した液状物が漏れ出ることが無く、保水性が確保されることになる。
【００３６】  ここで、吸水アッセンブリ１８は、下から上に向けて、下側透水シート１６、吸水シート１２、上側透水シート１４の順に重ねあわされた状態で、糸Ｘにより、厚さ方向に一体化されるように、キルティング処理されている。また、下側透水シート１６の下面に塗布されて形成された接着剤層２４を介して、不透水シート２０が吸水アッセンブリ１８の底面に接着されている。このように、吸水アッセンブリ１８の底面に不透水シート２０が接着された状態で、この重ね合わせた構造の周縁に、バイアステープ２２が全周に渡り巻きつけられた状態で、糸Ｙにより、厚さ方向に一体化されるように、パイピング処理されている。
【００３７】  一方、上述した各透水シート１４，１６は、有孔又は無孔の不織布が用いられており、不織布を構成する素材繊維としては、例えばポリエチレンまたはポリプロピレン等のオレフィン系、ポリエステル系、ポリアミド系等の合成繊維のほか、レーヨンやキュプラ等の再生繊維、綿等の天然繊維を適宜用いることが出来るものであり、周知のスパンボンド法、エアスルー法、メルトブローン法、ニードルパンチ法等の適宜の加工法によって得ることができるものである。
【００３８】  また、上述した吸水シート１２は、高吸水性ポリマー粒状粉（ＳＡＰ）や高吸水ポリマー繊維（ＳＡＦ）から柔軟性を発揮できるように、薄いシート状に形成されたものが用いられる。更に、不透水シート２０は、ポリエチレンやポリプロピレン等のオレフィン系樹脂シート等の、少なくとも遮水性を有し、且つ、透湿性を有しないシート材から形成されている。また、この不透水シート２０は、このベッドパッド１０がおかれたベッドからずり落ちないように、ベッド表面に対して所定の摩擦係数を有するように形成されており、具体的には、摩擦係数を大きくするために、表面を粗面化処理するとか、凹凸を付す等の処理がなされている。
【００３９】  また、この実施例の吸水アッセンブリ１８は、上述したように、キルティング処理がなされているので、キルティングにより区画された吸水アッセンブリ１８の一つの領域において液状物を吸水した状態で膨潤した高吸水ポリマーが、上から押し付けられたとしても、隣接する区画に移動（押し出る）事が効果的に防止されることになる。この結果、吸水した状態のベッドマット１０の上に横たわった患者等の人間が寝返り等で荷重移動が発生したとしても、その人間の下に位置する吸水した高吸水ポリマーは、キルティング処理により区画された領域に留め置かれて、他の領域に移動することがないので、ベッドマット１０全体としての摩擦抵抗が確保され、この上に乗る患者等の人間や動物がベッドマット１０から滑り落ちる可能性が低減され、使い勝手が極めて向上することになる。
【００４０】  尚、この実施例においては、吸水シート１２は、厚さ０．４ｍｍの薄肉状に成形されており、一方で、上下各々の透水シート１４，１６は、吸水シート１２よりは厚肉ではあるが、厚さ０．８ｍｍと、これも薄肉状に成形されている。また、不透水シート２０は、吸水シート１２より薄肉の厚さ０．２ｍｍの超薄肉状に成形されている。これにより、この実施例のベッドマット１０は、全体厚さとして、２．２ｍｍ程度の極めて薄く、柔軟性に富み、また、折り曲げ可能なものとなっている。
【００４１】  以上のように構成されるベッドマット１０の製造手順について、図３乃至図８を参照して説明する。
【００４２】  先ず、図３に示すように、間に高吸水ポリマーからなる吸水シート１２をおいて、上下から不織布からなる透水シート１４，１６で全面的に挟み込む。この状態において、下から上に向けて、下側透水シート１６、吸水シート１２、上側透水シート１４の順に重ねあわされた状態となっている。
【００４３】  この図３に示す状態から、図４に示すように、下側透水シート１６、吸水シート１２、上側透水シート１４の順序で重ねられたものを、糸Ｘを用いてキルティング処理して一体化して、吸水アッセンブリ１８を構成する。
【００４４】  この後、図５に示すように、吸水アッセンブリ１８の底面、即ち、下側の透水シート１６の下面に接着剤を塗布して接着層２４を形成する。そして、図６に示すように、この接着層２４を介して、不透水シート２０を吸水アッセンブリ１８の底面、即ち、下側の透水シート１６の下面に接着する。このようにして、下面に不透水シート２０が接着された吸水アッセンブリ１８を作り上げる。
【００４５】  この後、図７に示すように、バイアステープ２２の一端縁（将来、下側の端縁となる縁）を、不透水シート２０の周縁の下面に当て付け、引き続き、図８に示すように、バイアステープ２２を断面略Ｕ字状に折り曲げて、このバイアステープ２２の他端縁（将来、上側の端縁となる縁）を、吸水アッセンブリ１８の上面、即ち、上側の透水シート１４の周縁の上面に当て付ける。この図８に示す状態から、バイアステープ２２の上下の端縁を、糸Ｙを用いて縫い付けて、パイピング処理を施し、最終的に、図２に示す構造となし、これによりベッドマット１０を完成する。
【００４６】  尚、バイアステープ２２は、丁度、吸水アッセンブリ１８を一周するに相当する長さに予め調製されている。この結果、バイアステープ２２の先端は、これを縫い始めた基端と丁度、符号Ｚで示す位置でつながることになる。即ち、符号Ｚは、バイアステープ２２のつなぎ目を示しているものである。
【００４７】  このように製造されたベッドマット１０は、ベッドとして例えば手術台に敷かれる場合には、手術を受ける患者（人間）は、二重の不織布を備えてクッション性が担保されているので、一般的な手術台のように硬質の合成樹脂製の表面に直接に横たわらされる場合と比較して、違和感無く、横たわることが出来るものである。
【００４８】  また、手術中に、患者から血液等の液状物が流れ出た場合において、この液状物は患者が横たわっているベッドマット１０上に流れ落ちるので、ベッドマット１０の上側の透水シート１４を通ってすぐ下の吸水シート１２に至り、ここで吸水されることになる。
【００４９】  また、この吸水シート１２で吸水された液状物がここから漏れ出るばあいにおいて、この漏れでた液状物は、下側の透水シート１６を通り抜けることになるが、最下層に不透水シート２０が設けられているので、ここから更に下方に漏れ出ることは確実に防止されることになる。このようにして、患者から流れ出た液状物は、患者が横たわっているベッドマット１０内に確実に溜めおかれ、他を汚すことは効果的に防止されることになる。即ち、患者から出た液状物で、医者や看護師の足元が汚れることも、また、手術室の床が汚れることも効果的に防止されることになる。
【００５０】  更に、ベッドマット１０内に溜めおかれた液状物が、横方向に移動しても、ベッドマット１０の周縁は、バイアステープ２２によりパイピング処理がなされているので、この液状物がベッドマット１０の周縁から外方に漏れ出ることも効果的に抑止されることになる。
【００５１】  一方、この実施例では、下側の透水シート１６は一見すると不要に思われるかもしれないが、仮にこれを設けないとすると、
（１）  上側の透水シート１４と吸水シート１２とをキルティング処理しようと、糸Ｘで縫いつける場合に、吸水シート１２が薄くて糸Ｘで破れる恐れがあり、破れると、吸水性能が損なわれることになり、好ましくない。しかしながら、この実施例においては、吸水シート１２は上下から透水シート１４、１６で挟み込まれた状態で、糸Ｘで縫いつけられてキルティング処理されるので、糸Ｘの折り返し部分が直接に吸水シート１２に触れることが無いので、例え吸水シート１２の厚さが薄くても、この糸Ｘにより破れる恐れが無く、吸水性能が確実に担保されることになる効果が奏せられる：
（２）  下側の透水シート１６を設けないとすると、接着剤を吸水シート１２の下面に直接に塗布せざるを得ないこととなり、この結果、不透水シート２０が吸水シート１２の下面に直接に接着され、互いが強固に接合されることになる。この結果、吸水シート１２が液状物を吸水して膨潤しようとする際に、当然に横方向のサイズの拡大が起こることになるが、吸水シート１２が不透水シート２０に強固に接着されているため、この膨潤が阻止されて、吸水効果が損なわれる恐れが生じる。しかしながら、この実施例においては、不透水シート２０は下側の透水シート１６に接着層２４を介して接着されているので、吸水シート１２が液状物を受けて棒順する際においても、この膨潤がなんら阻害されること無く、吸水性能が確実に担保されることになる効果が奏せられる；
もので、下側の透水シート１６は必須の構成といえるものである。
【００５２】  なお、この発明は、上述した一実施例の構成に限定されることなく、この発明の要旨を逸脱しない範囲で種々変形可能であることは言うまでもない。
【００５３】  例えば、吸水アッセンブリ１８を構成する上下各々の透水シート１４，１６や吸水シート１２の厚みについて、具体的な数値を用いて説明したが、これらはあくまでも一例であって、この発明は、このような数値に何等限定されること無く成形されることは、言うまでもない。
【００５４】  また、上述した実施例においては、ベッドマット１０上には、人間が横たわるように説明したが、この発明は、このような適用に限定されること無く、例えば、動物病院において動物用の手術台に、手術される動物が横たわる場合においても、同様に用いることが出来ることは言うまでもない。
【００５５】  また、上述した実施例においては、不透水シート２０として合成樹脂性のものを用いるように説明したが、この発明は、このような構成に限定されること無く、例えばアルミホイル等の金属製の薄膜を用いることが出来ることは言うまでもない。要は、吸水アッセンブリ１８に保水された液状物が、ベッド上に透過することを防止するものであれば、何でも良い。
【００５６】  また、上述した実施例においては、このベッドマット１０は、手術台の上に敷かれるように説明したが、この発明は、手術台上で用いられることに限定されること無く、通常の就寝用のベッドの上に敷いて用いることが出来ることは言うまでもない。
【符号の説明】
【００５６】１０  ベッドマット
１２  吸水シート
１４  上側の透水シート
１６  下側の透水シート
１８  吸水アッセンブリ
２０  不透水シート
２２  バイアステープ
２４  接着層
Ｘ    キルティング処理用の糸
Ｙ    パイピング処理用の糸
Ｚ    バイアステープ２２のつなぎ目
【図１】
2018161455.tif 000003
【図２】
2018161455.tif 000004
【図３】
2018161455.tif 000005
【図４】
2018161455.tif 000006
【図５】
2018161455.tif 000007
【図６】
2018161455.tif 000008
【図７】
2018161455.tif 000009
【図８】
2018161455.tif 000010